(57)【要約】【課題】  内容物を抵抗感なく抽出でき、かつ滴下可能なノズルキャップ付き容器。【解決手段】  容器本体と、該容器本体の開口に圧入される中栓体と、該中栓体を覆うようにして、前記容器本体の口部に螺合されるノズルキャップとからなり、（ａ）前記容器本体は、内容物が充填される胴部と、外周に雄ねじを有する口部とからなり、（ｂ）前記中栓体は、外周が前記容器本体の口部に圧入される中栓胴部と、該中栓胴部の上方に形成される天井部と、該天井部に穿設される抽出孔とからなり、（ｃ）前記ノズルキャップは、上端が切断されることにより抽出口となるノズル部と、該ノズル部の下端から、半径方向に拡がるノズルテーパー部を有する突出筒と、該突出筒の下側に形成され、前記容器本体の口部の雄ねじに螺合する、雌ねじを有する筒部本体とからなることを特徴とするノズルキャップ付き容器。【選択図】    図２
2006224986.tif 000002
【特許請求の範囲】
【請求項１】
容器本体と、該容器本体の開口に圧入される中栓体と、該中栓体を覆うようにして、前記容器本体の口部に螺合されるノズルキャップとからなり、
（ａ）前記容器本体は、内容物が充填される胴部と、外周に雄ねじを有する口部とからなり、
（ｂ）前記中栓体は、外周が前記容器本体の口部に圧入される中栓胴部と、該中栓胴部の上方に形成される天井部と、該天井部に穿設される抽出孔とからなり、
（ｃ）前記ノズルキャップは、上端が切断されることにより抽出口となるノズル部と、該ノズル部の下端から、半径方向に拡がるノズルテーパー部を有する突出筒と、該突出筒の下側に形成され、前記容器本体の口部の雄ねじに螺合する、雌ねじを有する筒部本体とからなることを特徴とするノズルキャップ付き容器。
【請求項２】
前記中栓体の天井部にテーパー部が形成され、該テーパー部と前記ノズルキャップのノズルテーパー部の上部内周面の傾斜角が、ほぼ同一であることを特徴とする請求項１記載のノズルキャップ付き容器。
【請求項３】
前記容器本体が、ボトル容器であることを特徴とするノズルキャップ付き容器。
【請求項４】
前記容器本体が、チューブ容器であることを特徴とするノズルキャップ付き容器。
【発明の詳細な説明】
【技術分野】
【０００１】
この発明はノズルキャップ付容器に関し、さらに詳しくは、内容物を抵抗感なく容易に抽出することができ、かつ一定量の内容物を滴下状態で抽出できるノズルキャップ付き容器に関する。
【背景技術】
【０００２】
従来、内容物を使用時まで閉鎖しておき、使用時に開封し、かつ抽出量を調整できる容器として、特許文献１に開示されているような容器が提案されている。すなわち、図６及び図７において、容器本体５０は、内容物が充填される胴部５１と、外周に雄ねじ５２を有する口部５３とから構成されている。また中栓体５４は、外周が容器本体５０の口部５３に圧入されている中栓筒体５５と、中栓筒体５５の上方に形成される天面部５６と、天面部５６に穿設される抽出孔５７とから構成され、天面部５６の中心位置には、突出部６０が形成されている。この突出部６０は、キャップ５８の抽出部５９の内側に係脱自在に係合し、内容物の抽出量を制御する。又キャップ５８は、上端がＸ−Ｘ線で切断されることにより抽出口となる先端部６１と、先端部６１から連続する抽出部５９、さらに抽出部５９下端から半径方向に、天面部６３を介して外側に拡がる突出筒６２とから構成されている。そして、突出筒６２の内側には、容器本体５０の口部５３の雄ねじ５２に螺合する雌ねじ６４が形成されている。
【特許文献１】実公昭４０−２３２０号公報
【発明の開示】
【発明が解決しようとする課題】
【０００３】
しかし、上記容器にあっては、図６及び図７に示すように、キャップ５８の天面部６３が水平であるため、粘度の高いクリーム状の内容物にあっては、抽出時の抵抗が大きく、抽出し難いという欠点があった。又、抽出した内容物を溜める部位がないので、一定量の内容物を一滴、二滴という滴下状態で抽出することができなかった。この発明は、このような従来の課題に着目してなされたもので、粘度の高い内容物を抵抗感なく容易に抽出することができ、かつ一定量の内容物を、滴下状態で抽出できるノズルキャップ付き容器を提供することを目的とする。
【課題を解決するための手段】
【０００４】
請求項１記載の発明の解決手段は、容器本体と、容器本体の開口に圧入される中栓体と、中栓体を覆うようにして、容器本体の口部に螺合されるノズルキャップとからなり、（ａ）容器本体は、内容物が充填される胴部と、外周に雄ねじを有する口部とからなり、（ｂ）中栓体は、外周が容器本体の口部に圧入される中栓胴部と、中栓胴部の上方に形成される天井部と、天井部に穿設される抽出孔とからなり、（ｃ）ノズルキャップは、上端が切断されることにより抽出口となるノズル部と、ノズル部の下端から、半径方向に拡がるノズルテーパー部を有する突出筒と、突出筒の下側に形成され、容器本体の口部の雄ねじに螺合する、雌ねじを有する筒部本体とからなることを特徴とするノズルキャップ付き容器である。ノズルキャップの突出筒の内面が、テーパー状に形成されているので、粘度の高い内容物であっても、テーパー面に沿って抵抗感なくスムーズに抽出できる。又ノズル部が存在するので、抽出された内容物は、一旦このノズル部の通路に溜まり、この溜まった内容物が滴下機能を促進し、ノズルの長さ及び口内径を決定することにより、常に一定量の内容物を滴下状態で抽出することができる。
【０００５】
請求項２記載の発明の解決手段は、中栓体の天井部にテーパー部が形成され、テーパー部とノズルキャップのノズルテーパー部の上部内周面の傾斜角が、ほぼ同一であることを特徴とするノズルキャップ付き容器である。ノズルキャップの突出筒の内面が、テーパー状に形成されているので、粘度の高い内容物であっても、テーパー面に沿って抵抗感なくスムーズに抽出できる。中栓体の天井部のテーパー部と、ノズルキャップのノズルテーパー部の上部内周面の傾斜角がほぼ同一であるから、抽出された内容物が中栓体とノズルキャップの間に残留するのを防止できる。
【０００６】
請求項３記載の発明の解決手段は、容器本体が、ボトル容器であることを特徴とするノズルキャップ付き容器である。
【０００７】
請求項４記載の発明の解決手段は、容器本体が、チューブ容器であることを特徴とするノズルキャップ付き容器である。
【発明の効果】
【０００８】
この発明によれば、液状の内容物のみならず、粘度の高い内容物であっても、抵抗感なく容易に抽出することができると共に、一定量に調整された内容物を、滴下状態で抽出できる効果を有する。
【発明を実施するための最良の形態】
【０００９】
以下、本発明の実施例を図面に基づいて説明する。
【実施例１】
【００１０】
図１は、この発明に係る実施例１を示す図面である。１は容器本体であり、容器本体１はスクイズ機能を有するボトル容器又はチューブ容器であり、ブロー成形等の公知の製造方法で製造される。チューブ容器は、例えば単層又は多層のブローチューブ容器、ラミネートチューブ容器、二重チューブ容器等である。容器本体１は胴部２と口部３から構成され、口部３には雄ねじ４が形成されている。そして、この口部３には、中栓体５の中栓胴部６が圧入されており、この中栓胴部６の上方には、ノズルキャップ７の抜けを防止するために、係止片８と係合する鍔体９が形成されている。鍔体９が係止片８に係合することにより、抽出孔１１から流出する内容物が、下方向である口部３の雄ねじ４近傍に移動するのを防止している。この鍔体９の上方には、側面に複数の抽出孔１１（実施例１では周囲４箇所）が穿設されたテーパー部１０を有する天井部１２が形成されている。なお、容器本体１と中栓体５は、一体成形により製造されてもよい。
【００１１】
ノズルキャップ７は、上端に内容物の抽出時にＹ−Ｙ線で切断される先端部１３を有し、この先端部１３から下方にノズル部１４が形成されている。このノズル部１４の長さ（図２の寸法L）及び内径（図２の直径M）を決定することにより、抽出される内容物の一滴の滴下量を決定することができる。ノズル部１４の下端から、半径方向にテーパー状に拡がるノズルテーパー部１５を有する突出筒１６が形成されている。実施例１では、中栓体５のテーパー部１０と、このノズルテーパー部１５の上部内周面の傾斜角が共に、ほぼ同一の角度に形成されている。このノズルテーパー部１５の上部内周面１５ａ及びテーパー部１０の傾斜角は、１０°〜８０°であり、好ましくは３０°〜６０°が適する。傾斜角が、ほぼ同一であるから、抽出された内容物が中栓体５とノズルキャップ７の間に残留するのを防止できる。なお、他の実施例として、ノズルテーパー部１５の上部内周面１５ａの傾斜角と、テーパー部１０の傾斜角は異なってもよい。そして、突出筒１６の下側には、雌ねじ１７を有する筒部本体１８が形成され、筒部本体１８の雌ねじ１７は、容器本体１の口部３の雄ねじ４と螺合している。
【００１２】
本発明に係るノズルキャップ付き容器は、口部３の雄ねじ４に螺合されているノズルキャップ７を回転することにより、ノズルキャップ７と中栓体５の天井部１２の係合を解除して隙間を設け、ボトル容器又はチューブ容器を手で押圧すると、内容物は中栓体５の抽出孔１１からノズル部１４内に流入する。内容物の流入量は、ノズルキャップ７と中栓体５の隙間の大小により決定される。すなわち、図４に示すように、ノズルキャップ７と中栓体５のすき間を小さくすれば（隙間Ｓ）、少ない量の内容物がノズル部１４内に流入する。又図５に示すように、ノズルキャップ７と中栓体５のすき間を大きくすれば（隙間Ｔ）、多い量の内容物を抽出することができる。内容物の粘度、抽出量を考慮して、流出量を任意に設定することができる。そして、ノズル部１４内に溜まった内容物は、ノズル部１４の滴下機能により、外部に滴下される。ノズルキャップ７を逆回転し、ノズルキャップ７と中栓体５の天井部１２を係合すれば、内容物はノズル部１４内に流出しなくなる。
【産業上の利用可能性】
【００１３】
本発明の活用例として、粘度の高い内容物でも、抵抗感なく容易に抽出できるので、子供、老人でも楽に抽出操作ができる。又一滴の滴下量を決定して、滴下状態で内容物を抽出できるので、本発明に係るボトル容器又はチューブ容器には、液状の内容物のみならず、粘度の高いクリームや軟膏等を充填することができる。したがって、食品、薬品等の分野で広く利用することができる。
【図面の簡単な説明】
【００１４】
【図１】本発明に係る実施例１を示す一部切り欠き断面図。
【図２】本発明に係る実施例１において、内容物を抽出している状態を示す断面図。
【図３】本発明に係る実施例１の中栓体を示す平面図。
【図４】本発明に係る実施例１において、少量の内容物を抽出している状態を示す断面図。
【図５】本発明に係る実施例１において、多量の内容物を抽出している状態を示す断面図。
【図６】従来の内容物の抽出量を調整した容器を示す断面図。
【図７】従来の内容物の抽出量を調整した容器において、内容物を抽出している状態を示す断面図。
【符号の説明】
【００１５】
１  容器本体
２  胴部
３  口部
４  雄ねじ
５  中栓体
６  中栓胴部
７  ノズルキャップ
１０  テーパー部
１１  抽出孔
１２  天井部
１４  ノズル部
１５  ノズルテーパー部
１５ａ上部内周面
１６  突出筒
１７  雌ねじ
１８  筒部本体
【図１】
2006224986.tif 000003
【図２】
2006224986.tif 000004
【図３】
2006224986.tif 000005
【図４】
2006224986.tif 000006
【図５】
2006224986.tif 000007
【図６】
2006224986.tif 000008
【図７】
2006224986.tif 000009